(57)【要約】【課題】網袋の製袋と同時に所要の情報を記載した表示材でもって網筒の端部を合理的に熱融着させて製袋と包装物の情報表示の表示体（ラベル）を兼ね、取扱いを容易にする表示機能を所有させる。【解決手段】合成樹脂製モノフィラメントで編成された網地で形成される包装用の網袋１において、袋胴部５をマチ部４付きにして、そのまま袋底端部６ａ外側の両面から所要寸法の表示用の樹脂フイルム（表示材３）で挟んで袋の上下方向に所要高さ寸法の遊離部８を残して網地と熱融着させ、前記遊離部８が内容物の情報表示スペースとなるように構成される。【選択図】        図１
2004182262.tif 000002
【特許請求の範囲】
【請求項１】
合成樹脂製モノフィラメントで編成された網地で形成される包装用の網袋において、袋胴部をマチ付きにして、そのまま袋底端部外側の両面から所要寸法の表示用の樹脂フイルムで挟んで袋の上下方向に所要高さ寸法遊離部を残して網地と熱融着させ、前記遊離部が内容物の情報表示スペースとなるように構成されることを特徴とする情報表示機能を備えた網袋。
【請求項２】
袋体の底部を融着して形成される樹脂フィルムは、胴部に形成されるマチ端部よりやや外側まで出た位置でかつ袋体の底端部よりも長くして、袋体上方に向けて遊離部が形成されるように融着されている請求項１に記載の情報表示機能を備えた網袋。
【請求項３】
前記樹脂フィルムによる袋体底部の融着時に、その樹脂フィルムに添えて樹脂フィルム製の表示札を併せて融着されている請求項１に記載の情報表示機能を備えた網袋。
【請求項４】
袋体底部の融着に利用する樹脂フィルムは、前記遊離部の寸法を高くして、予め印刷を施したものを用い、その印刷面を内向きにして融着製袋を行なった後に、前記遊離部を反転させることによりラベルとして利用できる構成とされる請求項１に記載の情報表示機能を備えた網袋。
【発明の詳細な説明】
【０００１】
【発明が属する技術分野】
本発明は、玉ねぎなどを包装するのに適した合成樹脂製の網袋に関するもので、詳しくは網袋の底部を接合するのに用いると同時に内容物に関する情報を外部から認識容易にされた表示部材を付着させてなる情報表示機能を備えた網袋に関するものである。
【０００２】
【従来の技術】
従来、例えば玉ねぎの出荷販売用に使用されている合成樹脂モノフィラメントで編み上げられた筒状のネットで形成される包装網袋は、選別機によって大きさを選別された被包装物（玉ねぎ）を所定の重量ずつ詰め込まれて出荷されている。この際の選別された玉ねぎのサイズや重量を袋の胴部に貼着されるラベルに表示されており、積み重ねられると外部から包装物の内容などの情報を簡単に判別することが困難である。そこで、積み上げられた場合でも外部から判別できるように、袋の色を変えることにより、簡単に判別できるような方式が採用されている。
【０００３】
また、このような方式のほかに、製袋時に着色された提げ手を同時に縫合して内容物をその提げ手の色によって識別できるようにされたものが知られている（特許文献１）。前記包装網袋の底部を閉じる手段としては、通常、前記特許文献１で示されるように、袋の一端部を折り返してミシン糸（合成繊維糸）で縫合する。このほかに、例えば図６に示されるように、網袋５０の開口端部５１に口閉じ紐５２の挿入部を網地を折り返して縫合形成され、底端部５３ではミシン糸５４によって縫付けと同時にオーバーロック縫い５４’して縫合部で破袋しないようにされている。また、内容物表示のラベル５５を胴部に貼着されている。
【０００４】
このほかに、包装網袋の底部を閉じる手段として、適宜幅の熱溶融性フィルム（テープ）をネット表面にあてがって熱溶着させることにより封止する構成のものが既に知られている（特許文献２）。また、網袋の底部を閉じるとともに、ラベル貼着用片を一体に溶着したものが知られている（特許文献３）。
【０００５】
【特許文献１】
実公平７−４７３３６号公報
【特許文献２】
実開昭５７−１７２７３６号公報
【特許文献３】
実開昭５２−１２３４１６号公報
【０００６】
【発明が解決しようとする課題】
しかしながら、最近、農産物などの品質表示など包装物に関する情報は、従来のような単純な識別のみで表示することが困難な状況にある。例えば流通段階で内容物の品種やサイズなどをバーコード表示するほかに、併せて物品名を表示すること、その他有効消費期限などの表示というように多くの項目を外部から認識できるようにすることが求められ、前記特許文献１による手段で解決するのが困難な状況にある。また、包装網袋の胴部に前記情報などを表示するラベルの貼着という手段があるが、これでは積み重ねた状態で外部から確認することができないという問題がある。
【０００７】
また、近時、使用済みの包装体は可能な限りリサイクルして資源の活用が可能なようにすることが求められている。そのために、袋の底部をミシン糸で縫合することは、回収された使用済みの包装体を再生するときに異物として混在することになって不都合である。したがって、このような製袋方式は今後市場で受け入れられない状況にある。そこで、前記特許文献２によって知られるように熱溶融性のテープを利用して熱溶着することが考えられるが、前記特許文献２に開示されるような袋の端に沿わせてテープと袋を貼り合せ融着させるものでは量産化が困難であり、当然コストアップになり、かつこれだけでは情報を付帯させることができないという問題がある。
【０００８】
一方、前記特許文献３によって知られるように、網袋の底を閉じるとともに樹脂フイルムによるラベル貼着用片を一体に溶着することで前記問題点を解決することが可能になるが、この方式では網袋の底部を幅方向に広げて、あるいは絞り込んで溶着するようにされているので、内容物が軽量なものである場合は有効であるが、収容物の重量が大で嵩張るものであると、いわゆる平袋状では胴部のみが膨れて荷積みしたときに底部に作用する負荷が大きくなり溶着部で破袋する恐れがある。したがって、ラベル貼着用片を袋底から外に食み出すように付着させることによる表示効果は得られても、重量が大で嵩張る物品の包装袋としては実用的でないという問題点がある。また、仮に内容量を多くする袋体とした場合、ラベル貼着用片が押し潰されて明示されなくなるという難点がある。
【０００９】
本発明は、このような事情に鑑みてなされたもので、合成樹脂のモノフィラメントによる網袋の製袋と同時に所要の情報を記載した表示材でもって網筒の端部を合理的に熱融着させて製袋と包装物の情報表示の表示札（ラベル）を兼ね、しかも取扱いを容易にする機能を所有させてなる情報表示機能を備えた網袋を提供することを目的とする。
【００１０】
【課題を解決するための手段および作用・効果】
このような目的を達成するために、本発明の情報表示機能を備えた網袋は、
合成樹脂製モノフィラメントで編成された網地で形成される包装用の網袋において、袋胴部をマチ付きにして、そのまま袋底端部外側の両面から所要寸法の表示用の樹脂フイルムで挟んで袋の上下方向に所要高さ寸法遊離部を残して網地と熱融着させ、前記遊離部が内容物の情報表示スペースとなるように構成されることを特徴とするものである。
【００１１】
本発明によれば、筒状の網地の胴部をマチ付きにして、袋底部を形成する部分にそのまま外側の両面から表示用の樹脂フイルムで挟んで熱融着されるので、柔軟で保形性におとる網地の筒体をその軸芯に対して左右でずれを起させることなく融着接合させることができて加工を容易にする。また、胴部をマチ付きにすることで嵩張る物品の収容を容易にし、かつ底部の保形性を確保できるので、融着接合部に過度の緊張力が作用しないので破袋するのを防止できる。そして、融着させるための樹脂フィルムにその融着個所から袋体の開口側（上側）に向って所要寸法の遊離部を形成し、この遊離部が予め包装する物品に関する情報の表示・商標記載スペース（表示部）とすることにより、その表示部を外部から容易に確認できる。しかも、製袋と同時に表示部の付着操作ができることになり、作業性の向上とそれに伴うコストダウンを図ることができるという効果がある。さらに、樹脂以外の材料を使用しないので、使用済み後に於ける資源の回収を容易にすることができるという副次的な効果も併せ得られるものである。
【００１２】
前記発明において、袋体の底部を融着して形成される樹脂フィルムは、胴部に形成されるマチ端部よりやや外側まで出た位置でかつ袋体の底端部よりも長くして、袋体上方に向けて遊離部が形成されるように融着されているのがよい。こうすると、袋体の底部を確実に融着することができ、物品を収容するときマチ部が押し広げられることで袋底がいわゆる角底状になると、付着された樹脂フイルムがその底部に沿って保護する働きをなし、包装後における内容物の負荷によって融着部で破袋するのを防止できるという効果が得られる。また、前記樹脂フィルムの融着部から開口部側に所要寸法の遊離部を設けることにより、情報開示スペースの確保のみならず袋体との融着時における融着部分とその隣接部との境界で袋体を形成するモノフィラメントに過度の熱影響を与えないで緩衝する役割を果たし、前記境界部での破断を予防する効果が得られるのである。
【００１３】
また、前記発明において、前記樹脂フィルムによる袋体底部の融着時に、その樹脂フィルムに添えて樹脂フィルム製の表示札を併せて融着されているのが好ましい。こうすると、前記樹脂フィルムによる袋体融着部に隣接の遊離部分の高さ寸法を余り大きく取らなくても開示情報が予め記載されている表示札（タグ）の付着で、情報をより有効に掲載でき、このタグの付着操作を製袋と同時に行えるので作業効率を高めることができる利点がある。
【００１４】
さらに、前記発明において、袋体底部の融着に利用する樹脂フィルムは、前記遊離部の寸法を高くして、予め印刷を施したものを用い、その印刷面を内向きにして融着製袋を行なった後に、前記遊離部を反転させることによりラベルとして利用できる構成とされるのがよい。こうすることにより、網袋の底部にラベルをフリーの状態で付着させることが同時に行なえて別途手数を掛けることなく内容物の表示を明確にできる効果が得られる。なお、前記融着製袋するのに用いられる樹脂フィルムは、幅方向の一端部を折曲げて袋体の底端部を前後から挟んで融着するようにする。こうしておけば、遊離部を反転させてラベルとして使用される際に、前記折曲げ部によって元に戻るのを防止できるという利点がある。
【００１５】
【発明の実施の形態】
次に、本発明による情報表示機能を備えた網袋の具体的な実施の形態につき、図面を参照しつつ説明する。
【００１６】
図１には本実施形態の情報表示機能を備えた網袋を表わす全体斜視図が示されている。図２に袋体の底部融着接合部分を表わす要部詳細図が示されている。
【００１７】
この実施形態の網袋１は、合成樹脂製（例えば中低圧ポリエチレン）のモノフィラメントで編成された所要直径の筒状網地を扁平に畳んでマチ付きの袋体２とされるもので、その底部を外側の前後（表裏）両面から樹脂フィルム（表示材３）を重ね合わせて熱融着接合して製袋されたものである。ここで使用される樹脂フィルム（表示材３）としては、前記網袋１を形成する合成樹脂製のモノフィラメントよりも熱溶融点が低い線状低密度ポリエチレン製フィルムが使用される。
【００１８】
前記網袋１の胴部から底までは、扁平に畳まれた袋体２（筒状網地）を幅方向に所要寸法でマチ部４が長手方向に沿って形成されるように、両側で一部を内側に折り曲げて胴部５が形成されている。また、底部６は、前記樹脂フィルムにてなる表示材３を、袋体２の長手方向に所要寸法Ｌで前記マチ部４付きに折畳まれた胴部５の幅寸法Ｂより両側にやや長くなる寸法Ｂ’にして前後両面から重ね合わせるとともに、袋体２の底端部６ａから所要長さＬ’その袋体２の開口側と反対方向に食み出すようにして、袋体２の底端部６ａとともに袋の底部６が固定できる範囲（例えば、１ｃｍ程度。ただし、この数値に限定されるものではない。）で熱圧着により樹脂フィルム（表示材３）を融着して一体に接合形成されている。
【００１９】
底部６を熱融着してなる樹脂フィルムは、その融着部７（図中斜線を引いて表わす部分）から開口側に所要高さ寸法Ｌ”の部分を遊離部８として、この遊離部８になる部分に包装する物品に関しての情報が記載される表示スペースとされている。したがって、その表示スペースには、予め融着される前のフィルムの状態で商品（物品）の「品種」，「内容量」，「サイズ」などを直接印刷表示するほか、これらのバーコード表示９を印刷しておけば流通時の管理を容易にすることができる。また、「有効消費期限」などを同時にあるいは包装後に印刷するようにして使用すれば、消費者に物品の販売情報が外部から認識できるようになる。
【００２０】
本実施形態において、袋体２の底部６を前記表示材３となる樹脂フィルムを用いて熱融着するに際し、その袋体２をマチ部４付きにした状態でそのまま樹脂フイルムで前後両外面から挟んで融着するのは、袋体２が合成樹脂製のモノフィラメントを用いて編成されているために、通常では保形性が得られ難くて、熱融着の際に幅方向の両側でずれが発生していびつな状態で製袋されるのを防止できることにある。要するに、マチを形成しておくことによって、単に二つ折りの状態にした場合、編目がずれ易くなって袋体２がいびつになるのを、マチ付きにして側端部で二つ折り部分を揃えて重ね合わすことで、融着によってずれが生じ難くなることを知見して量産体制で有効に製袋できるようにしたのである。
【００２１】
このように構成される本実施形態の網袋１は、図３に例示されるように、開口部から被包装物２０（例えば玉ねぎ）を所要量（表示スペースに記載されている内容量）に応じ計量して収容すると、袋体２の胴部５はマチ付きにされているので、そのマチ部４，４が押し広げられて底部６が安定する広がりをもった網袋１となる（図３では底部を明示するために、意識的に底部をずらせて表わしている）。したがって、包装工程で網袋１を起立させた状態にて搬送させて開口部の封止作業を行え、作業性を向上させ得るものになる。
【００２２】
この状態で網袋１の底部６は、袋体２の底端部６ａを融着している表示材３である樹脂フィルムによって、前述のように、袋体２の底端部６ａよりも寸法Ｌ’食み出した状態で融着されているのと融着部７の幅方向の両端が袋体２の側端からやや外側に食み出すようにされているので、袋体２の底部６が完全に取囲まれた状態で一体化され、かつ表示材３（樹脂フイルム）の遊離部８を胴部５側に形成されている。このようにされることから、袋体２の底部６は、表示材３との融着時における融着部分とその隣接部との境界７ａで袋体２を形成するモノフィラメントに過度の熱影響を与えないで緩衝する役割を果たし、しかも物品を収容する際に収容物２０によってマチ部４，４が押し広げられると、表示材３が底部６の外面に沿うようになって底面を保護する機能を発揮して、収容物２０の重量による負荷で底部６が破袋することはない。したがって、内容量が多い場合には前記融着部７の寸法を広げるようにすることで簡単に対応できる。
【００２３】
こうして網袋１内に被包装物２０を収容後は、開口部を例えば周知の弾性力を利用して閉じると固定できるクリップ３０（商品名コニクリップ（マックス社製））などによって封止することで包装が簡単確実に行なえる。また、底部６に付着する表示材３（樹脂フイルム）の遊離部７が袋の底部６に沿った状態となることで、荷扱い時における底部６の補強機能も併せ得られる。
【００２４】
また、包装後は、例えば積み重ねて保管・販売のための展示を行なっても、袋体２の底部６がマチ部４，４の広がりによって角形状になって、その融着されている樹脂フィルムの表示材３が底部６側に沿った状態となる。したがって、底側を外部から見える位置に配置しておくことで、表示材３の表示スペースに記載されている記事が明示されるので、その記事により取扱管理者・消費者が包装物２０の内容などを容易に認識することができる。
【００２５】
図４には、本発明による他の実施形態の要部を表わす正面図が示されている。
【００２６】
この実施形態では、袋体２の底部６を表示材３の樹脂フィルムで前述の要領で融着して製袋するのに加えて、別個の表示札（タグ）１１をともに付着させた構造のものである。したがって、基本的構成については前記実施形態のものとほぼ同一であり、表示札が付加される点において異なるものであり、その相違点以外については前記実施形態のものと同一の符号を付して説明を省略する。
【００２７】
付加される表示札（タグ）１１は、樹脂フイルムで形成されたものを用い、その表面に例えば内容物を表わすバーコード１２などを記載したものである。このタグ１１に記載されるバーコード１２には、予め包装する物品の「品種」や「サイズ」などを表示するようにしておけば、その表示に合わせた物品を包装する網袋１に前記要領で表示材３の融着と同時に、図示されるように、表示部分をフリーにして前記袋体２の底端部６ａと表示材３との融着部７を外して基端１１ａで付着しておけばよい。なお、このタグ１１としては樹脂フイルムを使用することから、一枚のシート状のもの以外に、樹脂フイルムのチューブを利用して、いわゆる腰のあるタグを付着させることができる。
【００２８】
本実施形態では、このようにタグ１１を付着することで、多量に取扱う物品の場合に、包装重量（容量）が異なる袋体２にも予め準備したタグ１１を利用して対応できることと、前記表示材３に直接記載する事項を少なくして、タグ１１に対する記載事項を多くすることでより充実した内容物に関する情報の開示が可能になるという利点がある。また、必要に応じて商標などを表示するようにすれば、販売先の商品態様に応じてタグ１１を納入先に合わせて変えるだけで対応することも可能になる。
【００２９】
図５には、さらに他の実施形態の要部を表わす正面図が示されている。
【００３０】
この実施形態の網袋では、表示材３Ａとして用いられる樹脂フイルムの袋体２に対する取付条件が前記実施形態のものと異なる。なお、前記実施形態と同一もしくは同様の構成部分については、同一の符号を付して詳細な説明を省略する。
【００３１】
この網袋１では、表示材３Ａが袋体２の底端部６ａに前記実施形態で記載の要領で融着させるにあたり、その表示材３Ａとなる樹脂フィルムの高さ寸法Ｌを前述のものに較べて高い（広い）寸法にして、その融着時に袋体２側に接する面３Ｂに「商標」「品種」「内容量」「サイズ」などを印刷して使用する。融着部分７から開口部側（胴部側）に遊離部８ａを広くして、包装後にその遊離部８ａ部分を矢印Ｐの方向に反転させ、図中二点鎖線で表わされるようにすれば、前記表示スペースが袋の底端部６ａから食み出してラベルの態様をなすことになる。また、その反転された表示部分（３Ｂ）は、二つ折りされている部分３ｃが反転状態で維持されるので、元に戻ることなく表示面をそのまま保持できることになる。
【００３２】
この実施形態では、表示部（表示材３Ａの遊離部８ａ表面）を袋の底部６から食み出して設けることにより、従来の網袋に見られるように、袋の胴部にラベルを貼着するものに較べて袋体２を傷めることなく作業性が良好になり、表記機能を充分に発揮することができる。また、反転させた後に、有効消費期限などを印字する場合も自由端部にて印字できるので、包装後に印字できて有効である。もちろん、張替えができないので、食品包装に使用する場合、包装物に対する品質保証ができるという利点がある。その他に、表示材３Ａの遊離部８ａを反転させることで、底部６から食み出す状態で表示部３Ｂを備える網袋１であってもマチ部４，４の拡開を容易にして無理なく収容物を多く包装することができる。
【００３３】
以上において説明の各実施形態において、袋体に対する表示材３，３Ａ（樹脂フィルム）の融着操作は、例えば所要寸法に網筒を切断したのち、マチ部４を折畳んで、あるいは網筒にマチ部４を折畳みつつ所要寸法で切断し、その底となる部分に対して表示材３となる樹脂フイルムを外部両側挟み付けるように重ねてから、ヒートローラ（または熱盤）によって所要位置を挟圧することにより、袋体２の底端部６ａを樹脂フィルムの一部を溶融させて網部を接着するとともに溶融するフィルム部を相互に融着させて接合する。したがって、前述のように樹脂フィルムの袋体２底端部６ａから食み出す部分７’が強固に接着されることにより、底部６の接合力を強固なものとするのである。
【００３４】
上述のように、本発明によれば、簡単な構成で網袋の底部を強固に接合形成することができ、しかもその接合と同時に収容物（包装品）に関して必要な情報を需要者に対して明示できる状態で表示することができるのであり、この製袋と表示体との付着操作を一挙に行えるので最小限のコストで生産可能になり、機能性の高い網袋を安価に提供することができる有用な発明であるといえる。
【図面の簡単な説明】
【図１】図１は、本実施形態の情報表示機能を備えた網袋を表わす全体斜視図である。
【図２】図２は、袋体の底部融着接合部分を表わす要部詳細図である。
【図３】図３は、物品を包装した状態を表わす図である。
【図４】図４は、他の実施形態の要部を表わす正面図である。
【図５】図５は、他の実施形態の要部を表わす正面図である。
【図６】図６は、従来の網袋の一形態を表わす図である。
【符号の説明】
１                    網袋
２                    袋体
３，３Ａ              表示材（樹脂フィルム）
４                    マチ部
５                    胴部
６                    底部
６ａ                  底端部
７                    融着部
８，８ａ              表示材の遊離部
【図１】
2004182262.tif 000003
【図２】
2004182262.tif 000004
【図３】
2004182262.tif 000005
【図４】
2004182262.tif 000006
【図５】
2004182262.tif 000007
【図６】
2004182262.tif 000008